(57)【特許請求の範囲】
【請求項１】
無線信号によりデータの送受信が可能な第１の携帯端末と、自宅内に設置された第２の携帯端末と、前記第１の携帯端末が存在するサービスエリアを構成する第１の基地局及び該第１の基地局の第１の交換局と、前記第２の携帯端末が存在するサービスエリアを構成する第２の基地局及び該第２の基地局の第２の交換局と、前記第１、第２の交換局に接続されたインターネットと、該インターネットに接続されたセキュリティサービス会社サーバと、前記第２の携帯端末を通して前記インターネットによって前記セキュリティサービス会社サーバとの情報をやり取りするためのパーソナルコンピュータと、自宅のセキュリティシステム全体の制御を司るセキュリティシステム制御手段と、該セキュリティシステム制御手段からの命令に基づき自宅のドアや窓の鍵の施錠状態の検知及び鍵の開閉を行う鍵開閉制御手段と、自宅内の様子を映し出すモニターカメラと、ガス漏れや煙を感知するガス・煙感知手段と、電力メータのメータ指示値の検知及びブレーカの“ＯＮ／ＯＦＦ”を制御することができる電力制御手段と、ガスメータのメータ指示値の検知及びガス元栓の開閉状態を制御することができるガス制御手段と、水道メータのメータ指示値の検知及び水道元栓の開閉状態を制御することができる水道制御手段と、前記セキュリティシステム制御手段から前記セキュリティサービス会社サーバに対して緊急通報があった場合に自動的に前記第１の携帯端末に電話をする非常通報手段と、ドアや窓が開いたことを検出するドア・窓センサーと、前記モニターカメラの画像を録画するための画像録画手段とを具備し、前記第１の携帯端末において、ユーザが操作部から操作を行うことにより表示部上に操作メニュー画面を表示し、該メニュー画面に表示されているメニュー項目を実行する場合にメニュー項目において文字が白黒反転している部分のカーソル位置を前記操作部の操作で移動させて所望のメニュー上にカーソルを合わせ、更に前記操作部から実行操作を行い、前記第１の基地局を介し前記インターネット上でユーザが契約しているプロバイダに接続し、該プロバイダとの接続が完了した後にユーザがあらかじめ初期設定で前記第１の携帯端末に設定されているホームページにアクセスし、前記初期ホームページを前記表示部に表示させ、前記操作部からの操作でユーザが契約しているセキュリティサービス会社のホームページにアクセスすると、セキュリティサービス会社サーバに接続され、前記表示部に前記セキュリティサービス会社のホームページ画面を表示し、前記操作部からの操作で前記表示画面上の氏名、パスワード入力部に氏名、パスワードをそれぞれ入力し、実行部をクリックすると前記セキュリティサービス会社サーバは、前記第２の基地局を介しユーザ自宅内に設置されている前記第２の携帯端末に接続し、前記パーソナルコンピュータに前記セキュリティシステム制御手段を介して前記鍵開閉制御手段から鍵開閉状況データと、前記モニターカメラから自宅内の画像情報と、前記電力制御手段から電力メータの電力使用量データと、前記ブレーカの開閉情報と、前記ガス制御手段からガスメータのガス使用量データとガス元栓の開閉情報と、前記水道制御手段から水道メータの水道使用量データと水道元栓の開閉情報とからなるセキュリティシステム情報データを出力させ、前記パーソナルコンピュータは、前記セキュリティシステム情報データを前記第２の携帯端末に出力し、該第２の携帯端末から前記第２の基地局、インターネットを通して前記セキュリティシステム情報データをセキュリティサービス会社サーバに送り、前記セキュリティシステム情報データを受け取ったセキュリティサービス会社サーバでは、前記第１の携帯端末の表示部にユーザ自宅のセキュリティシステム状況を表示させるべく前記セキュリティシステム情報データから変換した情報データをインターネット、前記第１の基地局を介して送信し、前記第１の携帯端末で前記セキュリティサービス会社サーバからの情報データを受信し、表示部に現在の自宅セキュリティシステム情報一覧を表示することを特徴とした携帯端末を利用したホームセキュリティ方法。
【請求項２】
前記鍵開閉状況データは前記第１の携帯端末の前記表示部に「開」「閉」表示部で表示され、前記モニターカメラの画像に表示されることを更に特徴とする請求項１に記載の携帯端末を利用したホームセキュリティ方法。
【請求項３】
前記モニターカメラを複数台設置し、前記第１の携帯端末の表示部に「モニタ切換」部を前記操作部の操作でクリックする度に該第１の携帯端末はセキュリティサービス会社サーバに対してモニターカメラ切替信号を前記第１の基地局からインターネットを介して送り、更にセキュリティサービス会社サーバはインターネットから前記第２の基地局を介してユーザ宅に設置されている前記第２の携帯端末にモニターカメラ切替信号を送信し、携帯端末で受信するとモニターカメラ切替信号はパーソナルコンピュータからセキュリティシステム制御部へと送られセキュリティシステム制御部にてモニターカメラの切り替えを行うことを更に特徴とする請求項１に記載の携帯端末を利用したホームセキュリティ方法。
【請求項４】
前記第１の携帯端末からの操作によって、自宅のセキュリティシステムを操作する方法において、前記自宅セキュリティシステム情報を一覧した時に、自宅玄関の鍵が開いていた場合に前記第１の携帯端末からの操作により自宅玄関の鍵を閉めさせることを更に特徴とする請求項１に記載の携帯端末を利用したホームセキュリティ方法。
【請求項５】
前記請求項４において、前記第１の携帯端末の表示部に自宅セキュリティ情報一覧が表示されている状態で該第１の携帯端末の操作部の操作により玄関の施錠状況を示す「開」部をクリックすると、表示は「開」から「閉」に変わり、「実行」部をクリックすると玄関の鍵に対する鍵閉制御信号が前記第１の携帯端末から前記第１の基地局、インターネットを介してセキュリティサービス会社サーバに一旦送られ、セキュリティサービス会社サーバからインターネット、前記第２の基地局、前記第２の携帯端末、パーソナルコンピュータを介してセキュリティシステム制御手段へと送られ、セキュリティシステム制御手段は、前記鍵閉制御信号を受け取ると玄関の鍵開閉制御器に対して鍵を閉める命令を出力して玄関の鍵を閉めさせることを更に特徴とする請求項４に記載の携帯端末を利用したホームセキュリティ方法。
【請求項６】
前記セキュリティシステム制御手段では鍵が正常に閉まったことを確認するとセキュリティシステム状態の変更が完了された旨をユーザに知らせるべくセキュリティシステム状態変更完了信号をパーソナルコンピュータ、前記第２の携帯端末、前記第２の基地局、インターネットを介してセキュリティサービス会社サーバに一旦送り、セキュリティサービス会社サーバからインターネット、前記第１の基地局を介して前記第１の携帯端末に送られ、該第１の携帯端末にてセキュリティシステム状態変更完了信号を受信すると、表示部はセキュリティシステム状態の変更が完了した旨を表示することを更に特徴とする請求項５に記載の携帯端末を利用したホームセキュリティ方法。
【請求項７】
前記第１の携帯端末の前記表示部における電気・ガス・水道の使用量を示す部所では該第１の携帯端末と自宅のセキュリティシステムが接続している間は、常に各々のメータ指示値データが送られてくることにより、リアルタイムで各々の使用量を把握することができる状態において、エアコン、風呂湯沸かし機のつけっぱなしや風呂水道などの出しっぱなし等の事態が発生してしまった場合に、それぞれの元栓の「開」「閉」表示を設け、該「開」「閉」表示部をクリックして「開」から「閉」とし、さらに「実行」部をクリックすることによって前記第１の携帯端末は元栓閉制御信号を送信し、前記セキュリティシステム制御部に送られ、セキュリティシステム制御部から電力制御手段、ガス制御手段、水道制御手段にそれぞれ送り、ブレーカ、ガス元栓、水道元栓を閉めることを更に特徴とする請求項１に記載の携帯端末を利用したホームセキュリティ方法。
【請求項８】
前記セキュリティシステム事態を止めないように、ブレーカ遮断に関してはセキュリティシステム電源をブレーカとは関係ない別口から供給することを更に特徴とする請求項７に記載の携帯端末を利用したホームセキュリティ方法。
【請求項９】
前記第１の携帯端末と自宅セキュリティシステムが接続されていない場合において、前記ガス・煙感知手段はガスや煙を感知した時に前記セキュリティシステム制御手段に対してガス・煙感知信号を出力し、該セキュリティシステム制御手段はガス・煙感知信号を受け取りガス制御手段を通してガス元栓の開閉状態を検出し、開いていると認識した場合にはガス元栓を閉めるように前記ガス制御手段に対して信号を出力し、ガス元栓を閉めさせることを更に特徴とした請求項１に記載の携帯端末を利用したホームセキュリティ方法。
【請求項１０】
前記セキュリティシステム制御手段は、前記セキュリティサービス会社とユーザに通報するべく前記パーソナルコンピュータ、第２の携帯端末、第２の基地局、インターネットを介して前記セキュリティサービス会社サーバにガス・煙感知の通報を行い、この時に前記モニターカメラの映像情報も一緒に送ると共に前記セキュリティサービス会社サーバは、いち早くユーザに状況を知らせるべく自動的に前記第１の携帯端末に連絡し、自動音声案内等で状況を連絡することを更に特徴とする請求項９に記載の携帯端末を利用したホームセキュリティ方法。
【請求項１１】
留守中に不法侵入者があった場合において、ユーザが前記パーソナルコンピュータの操作で非常通報システムをセットした後にドア・窓センサーにドア・窓が開いたことを検知した時に、前記セキュリティシステム制御手段は、前記セキュリティサービス会社サーバに侵入者通知を行い、同時にモニターカメラの映像を該セキュリティサービス会社サーバに送り、該セキュリティサービス会社サーバでは、この画像情報を画像録画手段で自動的に録画することによって不法侵入犯罪の証拠とすることを更に特徴とする請求項１に記載の携帯端末を利用したホームセキュリティ方法。
【請求項１２】
非常通報システムのセット方法を、玄関の鍵と連動して表側から玄関の鍵を閉めると前記セキュリティシステム制御手段が非常通報システムの動作を開始し、逆に表側から開けると該非常通報システムを解除することによって、面倒な操作をすることなく留守中にだけ非常通報システムを動作させることを更に特徴とする請求項１に記載の携帯端末を利用したホームセキュリティ方法。
【発明の詳細な説明】
【０００１】
【発明の属する技術分野】
本発明は、携帯電話機を利用したホームセキュリティシステムに関し、更に詳しくは、携帯電話機と、携帯電話機回線及びインターネットからなるネットワークと、携帯電話機から自宅のドアや窓の鍵の開閉及び電気・ガス・水道の元栓の開閉をすること、モニターカメラによる自宅内の映像情報等を携帯電話機に送信するホームセキュリティシステムを用いることにより、場所を問わず外出先から自宅のセキュリティシステム情報の入手や制御をすることができるホームセキュリティシステムを提供する携帯電話機を利用したホームセキュリティ方法に関するものである。
【０００２】
【従来の技術】
従来のホームセキュリティシステムは、セキュリティサービス会社と自宅に設置されている感知器との間の通信によって行われていたために、自宅に非常事態が発生してもユーザが外出していた場合には、ユーザにはその情報がすぐには伝わらなかった。
【０００３】
【発明が解決しようとする課題】
叙上のように、従来のホームセキュリティシステムは、セキュリティサービス会社と自宅に設置されている感知器との間の通信によって行われていたために、自宅に非常事態が発生してもユーザが外出していた場合には、ユーザにはその情報がすぐには伝わらないという問題点があった。
【０００４】
また、ユーザが外出した際に、単に自宅の鍵を閉め忘れたか若しくは閉めたかを覚えていないといった場合には、不安にかられてわざわざ自宅に戻るといったことはよくあった。
【０００５】
一方、近年、携帯電話がほぼ必需品となり、携帯電話でインターネットによる情報伝達が盛んになってきている。携帯電話によるインターネットの最大のメリットは、場所を問わずどこでも行えることであり、現在、様々な利用方法が考案されつつある。
【０００６】
本発明は従来の上記実情に鑑み、従来の技術に内在する上記問題点を解決する為になされたものであり、従って本発明の目的は、携帯電話機とインターネットを利用して、外出先からでも自宅の施錠状態の確認や鍵の開閉、自宅内の様子、自宅に何か異常が発生した場合に、迅速なユーザへの通報を可能とした携帯電話機を利用した新規なホームセキュリティ方法を提供することにある。
【０００７】
【課題を解決するための手段】
上記目的を達成する為に、本発明に係る携帯電話機を利用したホームセキュリティ方法は、無線信号によりデータの送受信が可能な第１の携帯端末と、自宅内に設置された第２の携帯端末と、前記第１の携帯端末が存在するサービスエリアを構成する第１の基地局及び該第１の基地局の第１の交換局と、前記第２の携帯端末が存在するサービスエリアを構成する第２の基地局及び該第２の基地局の第２の交換局と、前記第１、第２の交換局に接続されたインターネットと、該インターネットに接続されたセキュリティサービス会社サーバと、前記第２の携帯端末を通して前記インターネットによって前記セキュリティサービス会社サーバとの情報をやり取りするためのパーソナルコンピュータと、自宅のセキュリティシステム全体の制御を司るセキュリティシステム制御手段と、該セキュリティシステム制御手段からの命令に基づき自宅のドアや窓の鍵の施錠状態の検知及び鍵の開閉を行う鍵開閉制御手段と、自宅内の様子を映し出すモニターカメラと、ガス漏れや煙を感知するガス・煙感知手段と、電力メータのメータ指示値の検知及びブレーカの“ＯＮ／ＯＦＦ”を制御することができる電力制御手段と、ガスメータのメータ指示値の検知及びガス元栓の開閉状態を制御することができるガス制御手段と、水道メータのメータ指示値の検知及び水道元栓の開閉状態を制御することができる水道制御手段と、前記セキュリティシステム制御手段から前記セキュリティサービス会社サーバに対して緊急通報があった場合に自動的に前記第１の携帯端末に電話をする非常通報手段と、ドアや窓が開いたことを検出するドア・窓センサーと、前記モニターカメラの画像を録画するための画像録画手段とを具備し、前記第１の携帯端末において、ユーザが操作部から操作を行うことにより表示部上に操作メニュー画面を表示し、該メニュー画面に表示されているメニュー項目を実行する場合にメニュー項目において文字が白黒反転している部分のカーソル位置を前記操作部の操作で移動させて所望のメニュー上にカーソルを合わせ、更に前記操作部から実行操作を行い、前記第１の基地局を介し前記インターネット上でユーザが契約しているプロバイダに接続し、該プロバイダとの接続が完了した後にユーザがあらかじめ初期設定で前記第１の携帯端末に設定されているホームページにアクセスし、前記初期ホームページを前記表示部に表示させ、前記操作部からの操作でユーザが契約しているセキュリティサービス会社のホームページにアクセスすると、セキュリティサービス会社サーバに接続され、前記表示部に前記セキュリティサービス会社のホームページ画面を表示し、前記操作部からの操作で前記表示画面上の氏名、パスワード入力部に氏名、パスワードをそれぞれ入力し、実行部をクリックすると前記セキュリティサービス会社サーバは、前記第２の基地局を介しユーザ自宅内に設置されている前記第２の携帯端末に接続し、前記パーソナルコンピュータに前記セキュリティシステム制御手段を介して前記鍵開閉制御手段から鍵開閉状況データと、前記モニターカメラから自宅内の画像情報と、前記電力制御手段から電力メータの電力使用量データと、前記ブレーカの開閉情報と、前記ガス制御手段からガスメータのガス使用量データとガス元栓の開閉情報と、前記水道制御手段から水道メータの水道使用量データと水道元栓の開閉情報とからなるセキュリティシステム情報データを出力させ、前記パーソナルコンピュータは、前記セキュリティシステム情報データを前記第２の携帯端末に出力し、該第２の携帯端末から前記第２の基地局、インターネットを通して前記セキュリティシステム情報データをセキュリティサービス会社サーバに送り、前記セキュリティシステム情報データを受け取ったセキュリティサービス会社サーバでは、前記第１の携帯端末の表示部にユーザ自宅のセキュリティシステム状況を表示させるべく前記セキュリティシステム情報データから変換した情報データをインターネット、前記第１の基地局を介して送信し、前記第１の携帯端末で前記セキュリティサービス会社サーバからの情報データを受信し、表示部に現在の自宅セキュリティシステム情報一覧を表示することを特徴としている。
【０００８】
前記鍵開閉状況データは前記第１の携帯端末の前記表示部に「開」「閉」表示部で表示され、前記モニターカメラの画像に表示される。
【０００９】
前記モニターカメラを複数台設置し、前記第１の携帯端末の表示部に「モニタ切換」部を前記操作部の操作でクリックする度に該第１の携帯端末はセキュリティサービス会社サーバに対してモニターカメラ切替信号を前記第１の基地局からインターネットを介して送り、更にセキュリティサービス会社サーバはインターネットから前記第２の基地局を介してユーザ宅に設置されている前記第２の携帯端末にモニターカメラ切替信号を送信し、携帯端末で受信するとモニターカメラ切替信号はパーソナルコンピュータからセキュリティシステム制御部へと送られセキュリティシステム制御部にてモニターカメラの切り替えを行う。
【００１０】
前記第１の携帯端末からの操作によって、自宅のセキュリティシステムを操作する方法において、前記自宅セキュリティシステム情報を一覧した時に、自宅玄関の鍵が開いていた場合に前記第１の携帯端末からの操作により自宅玄関の鍵を閉めさせる。
【００１１】
前記第１の携帯端末の表示部に自宅セキュリティ情報一覧が表示されている状態で該第１の携帯端末の操作部の操作により玄関の施錠状況を示す「開」部をクリックすると、表示は「開」から「閉」に変わり、「実行」部をクリックすると玄関の鍵に対する鍵閉制御信号が前記第１の携帯端末から前記第１の基地局、インターネットを介してセキュリティサービス会社サーバに一旦送られ、セキュリティサービス会社サーバからインターネット、前記第２の基地局、前記第２の携帯端末、パーソナルコンピュータを介してセキュリティシステム制御手段へと送られ、セキュリティシステム制御手段は、前記鍵閉制御信号を受け取ると玄関の鍵開閉制御器に対して鍵を閉める命令を出力して玄関の鍵を閉めさせる。
【００１２】
前記セキュリティシステム制御手段では鍵が正常に閉まったことを確認するとセキュリティシステム状態の変更が完了された旨をユーザに知らせるべくセキュリティシステム状態変更完了信号をパーソナルコンピュータ、前記第２の携帯端末、前記第２の基地局、インターネットを介してセキュリティサービス会社サーバに一旦送り、セキュリティサービス会社サーバからインターネット、前記第１の基地局を介して前記第１の携帯端末に送られ、該第１の携帯端末にてセキュリティシステム状態変更完了信号を受信すると、表示部はセキュリティシステム状態の変更が完了した旨を表示する。
【００１３】
前記第１の携帯端末の前記表示部における電気・ガス・水道の使用量を示す部所では該第１の携帯端末と自宅のセキュリティシステムが接続している間は、常に各々のメータ指示値データが送られてくることにより、リアルタイムで各々の使用量を把握することができる状態において、エアコン、風呂湯沸かし機のつけっぱなしや風呂水道などの出しっぱなし等の事態が発生してしまった場合に、それぞれの元栓の「開」「閉」表示を設け、該「開」「閉」表示部をクリックして「開」から「閉」とし、さらに「実行」部をクリックすることによって前記第１の携帯端末は元栓閉制御信号を送信し、前記セキュリティシステム制御部に送られ、セキュリティシステム制御部から電力制御手段、ガス制御手段、水道制御手段にそれぞれ送り、ブレーカ、ガス元栓、水道元栓を閉める。
【００１４】
前記セキュリティシステム事態を止めないように、ブレーカ遮断に関してはセキュリティシステム電源をブレーカとは関係ない別口から供給する。
【００１５】
前記第１の携帯端末と自宅セキュリティシステムが接続されていない場合において、前記ガス・煙感知手段はガスや煙を感知した時に前記セキュリティシステム制御手段に対してガス・煙感知信号を出力し、該セキュリティシステム制御手段はガス・煙感知信号を受け取りガス制御手段を通してガス元栓の開閉状態を検出し、開いていると認識した場合にはガス元栓を閉めるように前記ガス制御手段に対して信号を出力し、ガス元栓を閉めさせる。
【００１６】
前記セキュリティシステム制御手段は、前記セキュリティサービス会社とユーザに通報するべく前記パーソナルコンピュータ、第２の携帯端末、第２の基地局、インターネットを介して前記セキュリティサービス会社サーバにガス・煙感知の通報を行い、この時に前記モニターカメラの映像情報も一緒に送ると共に前記セキュリティサービス会社サーバは、いち早くユーザに状況を知らせるべく自動的に前記第１の携帯端末に連絡し、自動音声案内等で状況を連絡する。
【００１７】
留守中に不法侵入者があった場合において、ユーザが前記パーソナルコンピュータの操作で非常通報システムをセットした後にドア・窓センサーにドア・窓が開いたことを検知した時に、前記セキュリティシステム制御手段は、前記セキュリティサービス会社サーバに侵入者通知を行い、同時にモニターカメラの映像を該セキュリティサービス会社サーバに送り、該セキュリティサービス会社サーバでは、この画像情報を画像録画手段で自動的に録画することによって不法侵入犯罪の証拠としている。
【００１８】
非常通報システムのセット方法を、玄関の鍵と連動して表側から玄関の鍵を閉めると前記セキュリティシステム制御手段が非常通報システムの動作を開始し、逆に表側から開けると該非常通報システムを解除することによって、面倒な操作をすることなく留守中にだけ非常通報システムを動作させる。
【００１９】
【発明の実施の形態】
次に、本発明をその好ましい各実施の形態について図面を参照しながら詳細に説明する。
【００２０】
図１は、携帯電話機を利用した本発明による各実施の形態に係るネットワークの全体ブロック構成図である。
【００２１】
【実施の形態の構成】
図１を参照するに、本発明による各実施の形態は、無線信号によりデータの送受信が可能な携帯電話機１０１及び自宅内に設置された携帯電話機１０２と、基地局Ａ１０３と、基地局Ｂ１０４と、それぞれの基地局Ａ１０３、基地局Ｂ１０４の交換機１０５、１０６と、回線網であるインターネット１０７と、セキュリティサービス会社サーバ１０８と、携帯電話機１０２を通してインターネット１０７によってセキュリティサービス会社サーバ１０８との情報をやり取りするためのパーソナルコンピュータ１０９と、自宅のセキュリティシステム全体の制御を司るセキュリティシステム制御部１１０と、セキュリティシステム制御部１１０からの命令に基づき、自宅のドアや窓の鍵の施錠状態の検知及び鍵の開閉を行う鍵開閉制御部１１１と、自宅内の様子を映し出すモニターカメラ１１２と、ガス漏れや煙を感知するガス・煙感知部１１３と、電力メータ１１７のメータ指示値の検知及びブレーカ１１８の“ＯＮ／ＯＦＦ”を制御することができる電力制御部１１４と、ガスメータ１１９のメータ指示値の検知及びガス元栓１２０の開閉状態を制御することができるガス制御部１１５と、水道メータ１２１のメータ指示値の検知及び水道元栓１２２の開閉状態を制御することができる水道制御部１１６と、セキュリティシステム制御部１１０からセキュリティサービス会社サーバ１０８に対して緊急通報があった場合に、自動的に携帯電話機１０１に電話をする非常通報部１２３と、ドアや窓が開いたことを検出するドア・窓センサー１２４と、モニターカメラ１１２の画像を録画するための画像録画部１２５とから構成される。
【００２２】
また、基地局Ａ１０３が構成するサービスエリアに携帯電話機１０１が存在し、基地局Ｂ１０４が構成するサービスエリアに携帯電話機１０２が存在するものとし、携帯電話機１０１、１０２は、ＰＨＳ（Ｐｅｒｓｏｎａｌ  Ｈａｎｄｙｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）等の情報通信装置であってもよいものとする。
【００２３】
図１において、基地局Ａ１０３と基地局Ｂ１０４とを一緒にして共通化すると共に、交換局１０５と交換局１０６とを一緒にして共通化し、即ち、基地局Ｂ１０４と交換局１０６とを省略して、携帯電話機１０１が基地局Ａ１０３、交換局１０５のみを用いて携帯電話機１０２と情報の交換をすることも可能である。
【００２４】
図２（ａ）、（ｂ）は、本実施の形態に係る携帯電話機１０１及び１０２の外観の一例を示した斜視図であり、（ａ）は表面図、（ｂ）は裏面図である。
【００２５】
図２（ａ）、（ｂ）を参照するに、携帯電話機１０１、１０２は、図１における基地局Ａ１０３、基地局Ｂ１０４と無線信号をやり取りするためのアンテナ２０１と、携帯電話機の操作メニュー画面やセキュリティサービス会社のホームページ画面等を表示する表示器２０２と、携帯電話機の操作を行うための操作部２０３と、パーソナルコンピュータ１０９と通信ケーブルで接続され、データの送受信を行うための外部接続端子２０４と、電話が掛かってきた時等に報知する報知部２０５と、受話部２０６と、送話部２０７とから構成される。ただし、受話部２０６と、送話部２０７は、本発明では使用されない。
【００２６】
【第１の実施の形態の動作】
次に、本発明による第１の実施の形態の動作について図面を参照して説明する。
【００２７】
図３は携帯電話機１０１の表示部２０２に表示されるメニュー画面の表示例を示す図である。
【００２８】
図４は表示部２０２に表示されるセキュリティサービス会社のホームページ画面の一例を示す図である。
【００２９】
図５は表示部２０２に表示されるセキュリティシステム情報画面の一例を示す図である。
【００３０】
図６は携帯電話機１０１から自宅のセキュリティシステム状態を変更して完了した際に、表示部２０２に表示される表示例を示す図である。
【００３１】
図１、図２（ａ）、（ｂ）を参照するに、携帯電話機１０１において、ユーザが操作部２０３から操作を行うことにより、表示部２０２上には図３に示されるような操作メニュー画面が表示される。
【００３２】
そこで、メニュー画面に表示されているメニュー項目を実行する場合には、メニュー項目において文字が白黒反転している部分がカーソル位置であり、操作部２０３の操作で前記カーソル位置が移動するために、「インターネット」上にカーソルを合わせ、更に操作部２０３から実行操作を行うと、基地局Ａ１０３を介し、インターネット１０７上で図示されていないユーザが契約しているプロバイダにまず接続される。
【００３３】
そこでプロバイダとの接続が完了すると、ユーザがあらかじめ初期設定で携帯電話機１０１に設定されているホームページにアクセスし、前記初期ホームページが表示部２０２に表示される。そして、操作部２０３からの操作で、ユーザが契約しているセキュリティサービス会社のホームページにアクセスすると、セキュリティサービス会社サーバ１０８に接続され、表示部２０２は図４に示すセキュリティサービス会社のホームページ画面が表示される。
【００３４】
そこで操作部２０３からの操作で図４における表示画面上の氏名、パスワード入力部４０１に氏名、パスワードをそれぞれ入力し、実行部４０２をクリックすると、セキュリティサービス会社サーバ１０８は、基地局Ｂ１０４を介し、ユーザ自宅内に設置されている携帯電話機１０２に接続し、パーソナルコンピュータ１０９にセキュリティシステム制御部１１０を介して、鍵開閉制御部１１１から鍵開閉状況データ即ち鍵施錠状態データと、モニターカメラ１１２から自宅内の画像情報と、電力制御部１１４から電力メータ１１７の電力使用量データとブレーカ１１８の開閉情報と、ガス制御部１１５からガスメータ１１９のガス使用量データとガス元栓１２０の開閉情報と、水道制御部１１６から水道メータ１２１の水道使用量データと水道元栓１２２の開閉情報とからなるセキュリティシステム情報データを出力させる。
【００３５】
パーソナルコンピュータ１０９では、前記セキュリティシステム情報データを携帯電話機１０２に出力し、携帯電話機１０２から基地局Ｂ１０４、インターネット１０７を通して前記セキュリティシステム情報データをセキュリティサービス会社サーバ１０８に送る。
【００３６】
前記セキュリティシステム情報データを受け取ったセキュリティサービス会社サーバ１０８では、携帯電話機１０１の表示部２０２に、図５に示すようなユーザ自宅のセキュリティシステム状況を表示させるべく、前記セキュリティシステム情報データから変換した情報データを、インターネット１０７、基地局Ａ１０３を介して送信する。
【００３７】
携帯電話機１０１で前記セキュリティサービス会社サーバ１０８からの情報データを受信すると、携帯電話機１０１の表示部２０２に図５に示す現在の自宅セキュリティシステム情報一覧が表示される。
【００３８】
ここで、鍵の施錠状態は、携帯電話機１０１の表示部２０２の図５における５０１部の「開」、「閉」表示部で表示され、モニターカメラ１１２の画像は図５の５０２部に表示される。
【００３９】
またモニターカメラが複数台設置されている場合には、５０３部の「モニタ切換」部を操作部２０３の操作でクリックする度に、携帯電話機１０１は、セキュリティサービス会社サーバ１０８に対してモニターカメラ切り替え信号を基地局Ａ１０３からインターネット１０７を介して送り、更にセキュリティサービス会社サーバ１０８は、インターネット１０７から基地局Ｂ１０４を介して、ユーザ自宅に設置されている携帯電話機１０２にモニターカメラ切り替え信号を送信し、この信号を携帯電話機１０２で受信すると、モニターカメラ切り替え信号は、パーソナルコンピュータ１０９からセキュリティシステム制御部１１０へと送られ、セキュリティシステム制御部１１０にてモニターカメラの切り替えを行う。
【００４０】
例えば、モニターカメラが３台設置されているとし、それぞれをカメラＡ、カメラＢ、カメラＣと称すると、携帯電話機１０１の表示部２０２の図５に示された自宅セキュリティシステム情報一覧において、５０２部にはまずカメラＡの画像が初期表示され、５０３部の「モニタ切換」をクリックする度にカメラＡ→カメラＢ→カメラＣ→カメラＡ→カメラＢ・・・・・といった具合に、モニターカメラが切り替えられる。
【００４１】
一方、図５の５０４部には、現在の電気・ガス・水道の使用量が表示され、５０５部にはそれぞれの元栓の開閉状態が表示される。
【００４２】
次に、携帯電話機１０１からの操作によって、自宅のセキュリティシステムを操作する方法について、例えば図５の自宅セキュリティシステム情報一覧において、自宅玄関の鍵が開いていた場合に携帯電話機１０１からの操作により、自宅玄関の鍵を閉めさせる動作について説明する。
【００４３】
携帯電話機１０１の表示部２０２に図５の自宅セキュリティ情報一覧が表示されている状態で、携帯電話機１０１の操作部２０３の操作により、玄関の施錠状況を示す５０１部の「開」部をクリックすると、表示は「開」から「閉」に変わり、更に５０６の「実行」部をクリックすると、前記モニターカメラ切り替え時と同様に、玄関の鍵に対する鍵閉制御信号が携帯電話機１０１から基地局Ａ１０３、インターネット１０７を介してセキュリティサービス会社サーバ１０８に一旦送られ、そしてセキュリティサービス会社サーバ１０８からインターネット１０７、基地局Ｂ１０４、携帯電話機１０２、パーソナルコンピュータ１０９を介して、セキュリティシステム制御部１１０へと送られる。
【００４４】
セキュリティシステム制御部１１０は、前記鍵閉制御信号を受け取ると、玄関の鍵開閉制御器１１１に対して、鍵を閉める命令を出力して玄関の鍵を閉めさせる。
【００４５】
一方、セキュリティシステム制御部１１０では鍵が正常に閉まったことを確認すると、セキュリティシステム状態の変更が完了された旨をユーザに知らせるべく、セキュリティシステム状態変更完了信号を、パーソナルコンピュータ１０９、携帯電話機１０２、基地局Ｂ１０４、インターネット１０７を介してセキュリティサービス会社サーバ１０８に一旦送り、そしてセキュリティサービス会社サーバ１０８からインターネット１０７、基地局Ａ１０３を介して携帯電話機１０１に送られる。そして携帯電話機１０１にてセキュリティシステム状態変更完了信号を受信すると、表示部２０２では図６のようにセキュリティシステム状態の変更が完了した旨を表示する。
【００４６】
一方、電気・ガス・水道の使用量を示す５０４部では、携帯電話機１０１と自宅のセキュリティシステムが接続している間は、常に各々のメータ指示値データが送られてくることにより、リアルタイムで各々の使用量を把握することができる。
【００４７】
例えば、エアコン、風呂湯沸かし機のつけっぱなしや、風呂水道などの出しっぱなし等があれば、電気・ガス・水道の使用量が飛躍的に増加するので、ユーザは各々の使用状態を予測することができる。
【００４８】
このような事態が発生してしまった場合には、応急処置として元栓を閉めることができれば事足りることから、５０５部に前述の施錠状態と同様に、各々の元栓の「開」、「閉」表示を設け、この「開」、「閉」表示部をクリックして「開」から「閉」とし、さらに「実行」部５０６をクリックすることによって、携帯電話機１０１は、元栓閉制御信号を送信し、この元栓閉制御信号は、前述の鍵閉制御時と同様のルートでセキュリティシステム制御部１１０に送られ、セキュリティシステム制御部１１０から電力制御部１１４、ガス制御部１１５、水道制御部１１６にそれぞれ送り、ブレーカ１１８、ガス元栓１２０、水道元栓１２２を閉めることができる。ただし、セキュリティシステム事態を止めないようにブレーカ遮断に関しては、セキュリティシステム電源をブレーカとは関係ない別口から供給する必要がある。
【００４９】
【第２の実施の形態の動作】
次に、本発明による第２の実施の形態の動作について図面を参照して説明する。
【００５０】
図７、図８は、本発明による第２の実施の形態を説明するための図であり、図７は、自宅で火事やガス漏れが発生した際に、セキュリティシステムがユーザ携帯電話機１０１に非常通報する動作のフローチャート、図８は、自宅に不法侵入があった際に、セキュリティシステムが自宅内の映像を自動録画する動作のフローチャートである。
【００５１】
第１の実施の形態では、携帯電話機１０１と自宅セキュリティシステムが接続されている場合について述べたが、次に非接続時に例えば火事、ガス漏れ、不法侵入があった場合の非常通報、及び自宅内映像の自動録画システムについて説明する。
【００５２】
図１、図７を参照するに、ガス・煙感知部１１３でガスや煙を感知すると（図７のステップＳ７０１−Ｙ）、セキュリティシステム制御部１１０に対してガス・煙感知信号を出力する（ステップＳ７０２）。セキュリティシステム制御部１１０はガス・煙感知信号を受け取ると、ガス制御部１１５を通してガス元栓１２０の開閉状態を検出し（ステップＳ７０３）、開いていると認識した場合には（ステップＳ７０３−Ｙ）、ガス元栓１２０を閉めるように、ガス制御部１１５に対して元栓遮断信号を出力し（ステップＳ７０４）、ガス元栓１２０を閉めさせる（ステップＳ７０５）。
【００５３】
次に、セキュリティシステム制御部１１０は、セキュリティサービス会社とユーザに通報するべく、パーソナルコンピュータ１０９、携帯電話機１０２、基地局Ｂ１０４、インターネット１０７を介してセキュリティサービス会社サーバ１０８にガス・煙感知の通報を行う（ステップＳ７０６）。
【００５４】
また、この時モニターカメラ１１２の映像情報も一緒に送れば、より詳しい状況を認識することができる。
【００５５】
一方、セキュリティサービス会社サーバ１０８では、いち早くユーザに状況を知らせるべく非常通報部１２３にて自動的に携帯電話機１０１にダイヤルし、自動音声案内等で状況を連絡する。
【００５６】
次に、図１、図８を参照するに、留守中に不法侵入者があった場合には、考えられる侵入口は大多数がドア・窓からであるために、ユーザがパーソナルコンピュータ１０９からの操作でセキュリティシステムを留守モードにセットした後（図８のステップＳ８０１−Ｙ）、ドア・窓センサー１２４にてドア・窓が開いたことを検知すると（ステップＳ８０２−Ｙ）、セキュリティシステム制御部１１０は、前記ガス・煙感知通報と同様のルートにてセキュリティサービス会社サーバ１０８に侵入者通知を行ない（ステップＳ８０３）、同時にモニターカメラ１１２の映像をセキュリティサービス会社サーバ１０８に送る（ステップＳ８０４）。
【００５７】
一方、セキュリティサービス会社サーバ１０８では、この画像情報を画像録画部１２５で自動的に録画し（ステップＳ８０５）、これによって不法侵入犯罪の証拠とすることが可能となり、犯人検挙にも大いに役立つ。
【００５８】
一方、セキュリティシステムの留守モード設定方法をユーザがパーソナルコンピュータ１０９を操作することによって設定するとしたが、外出、帰宅時の鍵の開閉行為を利用して、自宅の表側から玄関の鍵を閉めると、自動的にセキュリティシステムは留守モードに移行し、逆に表側から玄関の鍵を開けると自動的に留守モードを解除することによって、ユーザは面倒な操作をすることなく、自動的にセキュリティシステムを留守モードとすることが可能である。
【００５９】
【発明の効果】
本発明は以上の如く構成され、作用するものであり、本発明によれば以下に示すような効果が得られる。
【００６０】
一般的に広く普及されている携帯電話やインターネットを利用して、自宅のセキュリティシステムを携帯電話機で制御することができるために、外出先から自宅セキュリティシステムの情報の入手及び操作が可能となる。
【００６１】
例えば自宅から外出し、外出先で自宅の鍵を閉め忘れた、若しくは閉めたかどうか覚えがなく不安になった場合には、これまでは自宅まで戻らなくては施錠状態を確認できなかったが、本発明では、外出先で自宅の施錠状態を確認することができ、更に鍵を閉めるといった操作までが可能となる。
【００６２】
また、自宅に火災、ガス漏れ、不法侵入などが起こっても、外出先から即座に状況がわかり、自宅内の様子を携帯電話機の表示器で確認できたり、電気、ガス、水道を出先から遮断でき、利便性の高いセキュリティサービスを提供することが可能となる。
【図面の簡単な説明】
【図１】  携帯電話機を利用した本発明による各実施の形態に係るネットワークの全体ブロック構成図である。
【図２】  （ａ）、（ｂ）は、本実施の形態に係る携帯電話機１０１及び１０２の一例を示した斜視図であり、（ａ）は表面図、（ｂ）は裏面図である。
【図３】  携帯電話機１０１の表示部２０２に表示されるメニュー画面の表示一例を示す図である。
【図４】  表示部２０２に表示されるセキュリティサービス会社のホームページの一例を示す図である。
【図５】  表示部２０２に表示されるセキュリティシステム情報画面の一例を示す図である。
【図６】  携帯電話機１０１から自宅のセキュリティシステム状態を変更して完了した際に、表示部２０２に表示される表示例を示す図である。
【図７】  自宅で火事やガス漏れが発生した際に、セキュリティシステムがユーザ携帯電話機１０１に非常通報する動作のフローチャートである。
【図８】  自宅に不法侵入があった際に、セキュリティシステムが自宅内の映像を自動録画する動作のフローチャートである。
【符号の説明】
１０１…携帯電話機
１０２…携帯電話機
１０３…基地局Ａ
１０４…基地局Ｂ
１０５…交換局
１０６…交換局
１０７…インターネット
１０８…セキュリティサービス会社のサーバ
１０９…パーソナルコンピュータ
１１０…セキュリティシステム制御部
１１１…鍵開閉制御部
１１２…モニターカメラ
１１３…ガス・煙感知部
１１４…電力制御部
１１５…ガス制御部
１１６…水道制御部
１１７…電力メータ
１１８…メータ指示値の検知及びブレーカ
１１９…ガスメータ
１２０…メータ指示値の検知及びガス元栓
１２１…水道元栓
１２２…メータ指示値の検知及び水道元栓
１２３…非常通報部
１２４…ドア・窓センサー
１２５…画像録画部
２０１…アンテナ
２０２…表示器
２０３…操作部
２０４…外部接続端子
２０５…報知部
２０６…受話部
２０７…送話部
４０２…実行部
【図１】
0003716171.tif 000002
【図２】
0003716171.tif 000003
【図３】
0003716171.tif 000004
【図４】
0003716171.tif 000005
【図５】
0003716171.tif 000006
【図６】
0003716171.tif 000007
【図７】
0003716171.tif 000008
【図８】
0003716171.tif 000009